【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
デジタル・メディアを再生するためのシステムであって、
デジタル・データ・ストレージ・デバイスと、
前記デジタル・データ・ストレージ・デバイス上の前記デジタル・データを再生して第１の信号を提供するための手段と、
前記デジタル・データ・ストレージ・デバイスへ通信可能に接続されている少なくとも１つのメディア・リーダであって、取り外し可能なメディア上に保存されているデジタル・データを読み取って第２の信号を提供し、前記デジタル・データを前記デジタル・データ・ストレージ・デバイスへ転送することができるメディア・リーダと、
前記取り外し可能なメディア上の前記デジタル・データを再生して第２の信号を提供するための手段と、
前記第１の信号および前記第２の信号へ通信可能に接続されている出力と、及び
第１のインターフェースおよび第２のインターフェースを有するコントロール・ユニットであって、前記第１のインターフェースが、前記デジタル・データ・ストレージ・デバイス内に保存されているデジタル・データの再生を独立してコントロールするための手段を含み、前記第２のインターフェースが、前記少なくとも１つのメディア・リーダによって読み取られている取り外し可能なメディア上に保存されているデジタル・データの再生を独立してコントロールするための手段を含むコントロール・ユニットとを含むシステム。
【請求項２】
前記少なくとも１つのメディア・リーダが一対のコンパクト・ディスク光ドライブである請求項１に記載のシステム。
【請求項３】
ラック・マウントをさらに含む請求項１に記載のシステム。
【請求項４】
前記コントロール・ユニットを収容するための第１のハウジングと、
前記再生ユニットを収容するための第２のハウジングとをさらに含む請求項１に記載のシステム。
【請求項５】
前記第１のハウジングから延びている第１のラック・マウントと、
前記第２のハウジングから延びている第２のラック・マウントとをさらに含む請求項４に記載のシステム。
【請求項６】
前記デジタル・ストレージ・ドライブがハード・ディスクである請求項１に記載のシステム。
【請求項７】
前記デジタル・データを前記少なくとも１つのメディアから前記デジタル・データ・ストレージ・デバイスへコピーするための手段をさらに含む請求項１に記載のシステム。
【請求項８】
前記デジタル・データを圧縮されたメディア・フォーマットへ変換するための手段をさらに含む請求項７に記載のシステム。
【請求項９】
前記第１のユーザ・インターフェース内の第１のピッチ・コントロール・ユニットと、
前記第２のユーザ・インターフェース内の第２のピッチ・コントロール・ユニットとをさらに含み、
前記第１のピッチ・コントロールおよび前記第２のピッチ・コントロールがそれぞれ、前記第１の信号および前記第２の信号のそれぞれのピッチを相互にマッチさせることができるように調整可能である請求項１に記載のシステム。
【請求項１０】
前記第１の信号の前記ピッチを変更する第１のピッチ・ベンド・コントロールと、
前記第２の信号の前記ピッチを変更する第２のピッチ・ベンド・コントロールとをさらに含む請求項１に記載のシステム。
【請求項１１】
前記第１の信号を途切れなくループさせるための手段をさらに含む請求項１に記載のシステム。
【請求項１２】
前記第２の信号を途切れなくループさせるための手段をさらに含む請求項１に記載のシステム。
【請求項１３】
前記第１の信号をその希望の再生位置へ頭出しするための手段をさらに含む請求項１に記載のシステム。
【請求項１４】
前記第２の信号をその希望の再生位置へ頭出しするための手段をさらに含む請求項１に記載のシステム。
【請求項１５】
前記第１の信号および前記第２の信号の特徴を表示できるディスプレイをさらに含む請求項１に記載のシステム。
【請求項１６】
前記第１の信号の特徴を表示できる第１のディスプレイと、
前記第２の信号の特徴を表示できる第２のディスプレイとをさらに含む請求項１に記載のシステム。
【請求項１７】
ディスク・ジョッキーのためのメディア・システムであって、
取り外し可能なストレージ・メディアからデータを読み取ることができる第１のメディア・リーダおよび第２のメディア・リーダと、デジタル・ストレージ・ドライブと、及び第１と第２の出力とを含む再生ユニットと、
前記再生ユニットの前記第１のメディア・リーダおよび前記第２のメディア・リーダからデータを読み取ること、ならびにそのデータを前記デジタル・ストレージ・ドライブに書き込むことが可能な、前記デジタル・ストレージ・ドライブの前記デジタル・データを管理するためのオペレーティング・システムと、
前記第１のメディア・リーダと、前記第２のメディア・リーダと、デジタル・ストレージ・ドライブと、リッピング手段と、及び出力とをコントロールするためのコントロール・ユニットであって、第１のインターフェースおよび第２のインターフェースを有し、前記第１のインターフェースが、前記第１のメディア・リーダおよび前記デジタル・ストレージ・ドライブからのデジタル・データを第１の信号として独立して選択的に再生し、前記第１の出力を通じて前記第１の信号を回送することができ、前記第２のインターフェースが、前記第２のメディア・リーダおよび前記デジタル・ストレージ・ドライブからのデジタル・データを第２の信号として独立して選択的に再生し、前記第２の出力を通じて前記第２の信号を回送することができるコントロール・ユニットとを含むメディア・システム。
【請求項１８】
前記再生ユニットから延びている第１のラック・マウントと、
前記コントロール・ユニットから延びている第２のラック・マウントとをさらに含む請求項１７に記載のメディア・システム。
【請求項１９】
前記第１のメディア・リーダがコンパクト・ディスク互換プレーヤであり、前記第２のメディア・リーダがコンパクト・ディスク互換プレーヤである請求項１７に記載のメディア・システム。
【請求項２０】
前記デジタル・ストレージ・ドライブがハード・ディスクである請求項１７に記載のメディア・システム。
【請求項２１】
前記デジタル・データは圧縮フォーマットで前記デジタル・ストレージ・ドライブする蓄積される請求項１７に記載のメディア・システム。
【請求項２２】
前記第１のユーザ・インターフェース内の第１のピッチ・コントロール・ユニットと、
前記第２のユーザ・インターフェース内の第２のピッチ・コントロール・ユニットとをさらに含み、
前記第１のピッチ・コントロールおよび前記第２のピッチ・コントロールがそれぞれ、前記第１の信号および前記第２の信号のそれぞれのピッチを相互にマッチさせることができるように調整可能である請求項１７に記載のメディア・システム。
【請求項２３】
前記第１の信号の前記ピッチを変更する第１のピッチ・ベンド・コントロールと、
前記第２の信号の前記ピッチを変更する第２のピッチ・ベンド・コントロールとをさらに含む請求項１７に記載のメディア・システム。
【請求項２４】
前記第１の信号を途切れなくループさせるための手段をさらに含む請求項１７に記載のメディア・システム。
【請求項２５】
前記第２の信号を途切れなくループさせるための手段をさらに含む請求項１７に記載のメディア・システム。
【請求項２６】
前記第１の信号をその希望の再生位置へ頭出しするための手段をさらに含む請求項１７に記載のメディア・システム。
【請求項２７】
前記第２の信号をその希望の再生位置へ頭出しするための手段をさらに含む請求項１７に記載のメディア・システム。
【請求項２８】
前記第１の信号および前記第２の信号の特徴を表示できるディスプレイをさらに含む請求項１７に記載のメディア・システム。
【請求項２９】
前記第１の信号の特徴を表示できる第１のディスプレイと、
前記第２の信号の特徴を表示できる第２のディスプレイとをさらに含む請求項１７に記載のメディア・システム。
【請求項３０】
ディスク・ジョッキーのためのデジタル・ミュージック・システムであって、
ラック・マウントと、第１のコンパクト・ディスク・プレーヤと、第２のコンパクト・ディスク・プレーヤと、ハード・ドライブと、及び第１と第２の出力とを含む再生ユニットと、
前記再生ユニットの前記第１のコンパクト・ディスク・プレーヤおよび前記第２のコンパクト・ディスク・プレーヤからデジタル形式で保存された音楽を読み取ること、ならびに前記デジタル形式で保存された音楽を前記ハード・ドライブに書き込むことが可能な、前記デジタル・ストレージ・ドライブの前記デジタル・データを管理するためのソフトウェア・プログラムと、
前記第１のコンパクト・ディスク・プレーヤと、第２のコンパクト・ディスク・プレーヤと、ハード・ドライブと、ソフトウェア・プログラムと、出力とをコントロールするためのコントロール・ユニットであって、ラック・マウントと、第１のディスプレイと、第２のディスプレイと、第１のインターフェースと、第２のインターフェースとを有するコントロール・ユニットとを含み、
前記第１のインターフェースが、前記コンパクト・ディスク・プレーヤおよび前記ハード・ドライブからのデジタル形式で保存された音楽を第１の信号として独立して選択的に再生し、前記第１の出力を通じて前記第１の信号を回送することができ、
前記第２のインターフェースが、前記第２のミュージック・プレーヤおよび前記ハード・ドライブからのデジタル形式で保存された音楽を第２の信号として独立して選択的に再生し、前記第２の出力を通じて前記第２の信号を回送し、
前記第１のディスプレイが、前記第１の信号の特徴を表示し、前記第２のディスプレイが、前記第２の信号の特徴を表示するミュージック・システム。
【請求項３１】
前記第１のユーザ・インターフェース内の第１のピッチ・コントロール・ユニットと、
前記第２のユーザ・インターフェース内の第２のピッチ・コントロール・ユニットとをさらに含み、
前記第１のピッチ・コントロールおよび前記第２のピッチ・コントロールがそれぞれ、前記第１の信号および前記第２の信号のそれぞれのピッチを相互にマッチさせることができるように調整可能である請求項３０に記載のミュージック・システム。
【請求項３２】
前記第１の信号の前記ピッチを変更する第１のピッチ・ベンド・コントロールと、
前記第２の信号の前記ピッチを変更する第２のピッチ・ベンド・コントロールとをさらに含む請求項３０に記載のミュージック・システム。
【請求項３３】
前記第１の信号を途切れなくループさせるための手段をさらに含む請求項３０に記載のミュージック・システム。
【請求項３４】
前記第２の信号を途切れなくループさせるための手段をさらに含む請求項３０に記載のミュージック・システム。
【請求項３５】
前記第１の信号をその希望の再生位置へ頭出しするための手段をさらに含む請求項３０に記載のミュージック・システム。
【請求項３６】
前記第２の信号をその希望の再生位置へ頭出しするための手段をさらに含む請求項３０に記載のミュージック・システム。
【請求項３７】
デジタル・オーディオ・ファイルを再生するためのシステムであって、
デジタル・オーディオ・ファイルを保存するための第１のデジタル・ストレージ・デバイスと、
前記第１のデジタル・ストレージ・デバイス上の前記デジタル・オーディオ・ファイルを再生して第１のオーディオ信号を提供するための手段と、
デジタル・オーディオ・ファイルを保存するための第２のデジタル・ストレージ・デバイスと、
前記第２のデジタル・ストレージ・デバイス上の前記デジタル・オーディオ・ファイルを再生して第２のオーディオ信号を提供するための手段と、及び
第１のインターフェースおよび第２のインターフェースを有するコントロール・ユニットであって、前記第１のインターフェースが、前記第１のデジタル・オーディオ信号の再生を独立してコントロールするための手段を含み、前記第２のインターフェースが、前記第２のデジタル・オーディオ信号の再生を独立してコントロールするための手段を含むコントロール・ユニットとを含むシステム。
【請求項３８】
前記第１のデジタル・ストレージ・デバイスが、デジタル・オーディオ・ファイルの再生と保存とを同時に行うことができるハード・ドライブである請求項３７に記載のシステム。
【請求項３９】
前記第２のデジタル・ストレージ・デバイスが光コンパクト・ディスク・リーダである